(57)【特許請求の範囲】
【請求項１】
ブレードにラバーを貼着した状態で、ラバーの不要部分をカットする卓球ラケット用ラバーのカット方法において、
固定基板に対して回転自在に支持されている回転板の表面にマットが貼着され、且つ、前記回転板の辺縁に卓球ラケット位置決め用の位置決め片が設置された卓球ラケットラバーカッター台を用い、
前記卓球ラケットラバーカッター台の前記マット上に、カット前の前記卓球ラケット用ラバーを貼着した卓球ラケットの前記ラバー貼着側の打球面を当接させるとともに、前記ラバーの前記卓球ラケットグリップ側の端面を前記位置決め片に係合させた状態で載置し、前記カッターを前記載置された卓球ラケットの辺縁に押し当てて前記回転板を回転させながら、前記ラバーの不要部分を切断することを特徴とする卓球用ラケットラバーのカット方法。
【発明の詳細な説明】
【０００１】
【発明の属する技術分野】
本発明は、卓球ラケット本体の打球面にラバーを貼り付けるとき、その打球面辺縁から外方へはみ出された余分なラバーを切り取る作業を容易ならしめるための卓球用ラケットラバーのカッター台であって、特に卓球ラケットを回転させながら、カッターでラバーを切断することによってはみ出たラバーの切除作業を円滑にしかも容易ならしめることができる卓球用ラケットラバーのカット方法に関するものである。
【０００２】
【従来の技術】
卓球のラケットにラバーを貼る時は、まずラケットのラバーをラケット本体に貼る部分（面積）より大きめのラバーを接着剤を介して貼着し、その接着剤が十分に乾きラバーがラケットに固定された後、ラケットの辺縁からはみ出た余分のラバーを鋏でラケットの辺縁に沿って切断するか、ラバー面を下にして片手でラケットを固定しながら別の手でカッターをもち刃先をラケットの辺縁に沿ってカッターを移動させながら余分なラバーを切断するという方法がとられていた。
【０００３】
【発明が解決しようとする課題】
しかしながら、鋏で余分なラバーを切りとる場合には、ラケットの形状通り切断するのが難しく、ラケットの側面に対し凸凹ができ、見ばえ良くラケットを完成させることができなかった。又、カッターを使用した場合でも固定しているラケットの辺縁にそってカッターを使用した場合でも、固定しているラケットの辺縁にそってカッターの刃先を移動させると動作は、そのカッターを移動（回転）していくうちに手元での切断がしにくくなり、滑らかに切断することが難しかった。
【０００４】
そこで本発明は、カッターの刃先をラケットの辺縁にあてがいカッターは定位値として、ラケット本体を回転させることでラケット本体の辺縁からはみでている余分なラバーを容易に切断することができるようなラバーのカット方法を提供することを目的とする。
【０００５】
【課題を解決するための手段】
上記の目的を達成するため、ブレードにラバーを貼着した状態で、ラバーの不要部分をカットする卓球ラケット用ラバーのカット方法において、
固定基板に対して回転自在に支持されている回転板の表面にマットが貼着され、且つ、前記回転板の辺縁に卓球ラケット位置決め用の位置決め片が設置された卓球ラケットラバーカッター台を用い、
前記卓球ラケットラバーカッター台の前記マット上に、カット前の前記卓球ラケット用ラバーを貼着した卓球ラケットの前記ラバー貼着側の打球面を当接させるとともに、前記ラバーの前記卓球ラケットグリップ側の端面を前記位置決め片に係合させた状態で載置し、前記カッターを前記載置された卓球ラケットの辺縁に押し当てて前記回転板を回転させながら、前記ラバーの不要部分を切断することを特徴とするものとする。
【０００６】
【発明の実施の形態】
図１に卓球ラケットラバーのカッター台の斜視図を示す。１は、正方形で角の面とりをした、材質が木のラバーカッター台の固定基板である。２は、固定基板１の下面全体を覆い、接着剤で固定された滑り防止用マットである。３は、固定基板１の上に回転自在に乗せられた固定基板１と同形状、同材質の回転板である。４は、不図示の卓球のラケットを置いてカッターで卓球のラケットの下に貼りつけたラバーの余分な部分を切断する時に回転板３を傷つけないように回転板３の上面全体を覆う接着で固定したマットである。マット４は、ラバー切断時にカッターで傷がつくため、何回か使用すると回転板３を傷つけない保護材としての役目が果たせなくなるため、交換する必要がある。５はマット材を素材とする位置決め片で、面取りした正方形のマット４の一辺縁に接着剤で固定し、卓球のラケットに貼り付けカッターで切断しようとする不図示のラバーの位置を固定するためのものである。
【０００７】
図２は、図１の卓球ラケットラバーのカッター台のＡ−Ａ断面図である。図１と同じ番号を付したものは同一部材なので、説明を省略する。ベアリング受け板６は基板１の正方形の１辺の長さより短い直径の金属製の円板で固定基板１の上に固定基板１とベアリング受け板６の中心が一致するように接着もしくはボルトで固定されている。ベアリング受け板７はベアリング受け板６と同材質、同直径の円板で、回転板３の下に回転板３とベアリング受け板７の中心が一致するように接着もしくはボルトで固定されている。また回転軸８は回転軸８の中心がベアリング受け板７の中心に一致するように溶接で取付けられる。回転軸８の長さはベアリング受け板６と基板１の厚さより短くする。ベアリング受け板６は、回転軸８が摺動嵌挿するように穴６ａを設ける。穴６ａの中心が、ベアリング受け板６の中心と一致するように穴６ａを設けるため、固定基板１と回転板３の中心は略一致する。回転軸８の下部には、ねじ部８ａが設けられ、ねじ部８ａは固定基板１から回転板３がはずれないように固定基板１に設けられた溝１ａの中で軸止めナット９と螺合する。溝１ａは中心を同じくした段付きの円柱状の溝で、上段は穴６ａよりやや大きめに、下段は軸止めナット９が不図示の治具でまわせる大きさをもち、溝１ａの中心が固定基板１の中心と一致するようにする。ねじ部８ａは回転板３と固定基板１とを軸止めナット９で固定しないよう固定基板１の溝１ａの上段と下段の境まで達しないようにするが、後述のベアリング１０が後述のベアリング溝６ｂ，７ｂからはずれない程度には溝１ａの上段と下段の境近くまで設ける。
【０００８】
ベアリング受け板６，７には、それぞれベアリング受け溝６ｂ，７ｂがあり、ベアリング受け溝６ｂは、ベアリングが移動しないようにベアリングよりやや大きめの半径でベアリングの半径より浅い球状の溝がベアリングの数だけベアリング受け板６の中心から同半径の位置に等間隔に設けられている。ベアリング受け溝７ｂは、回転軸の中心にベアリングよりやや大きめの小半径で深さがベアリングの半径より浅い円環状の溝が形成されている。ベアリング受け溝７ｂの大半径は、ベアリング受け溝６ｂのベアリング受け板６の中心からの半径に等しくし、両溝に収納されたベアリング１０が滑らかに回転できるようにする。従って、回転板３を押すと回転板３は固定基板１上で滑らかに回転する。
【０００９】
図３は卓球のラケットを実際にラバーのカッター台に載置してラバーを切る時の図である。卓球のラケット１１に長方形のラバー１２を接着剤で貼り、十分固定された後、ラバー１２を下側にして、ラバーのグリップ１３側の端面が丁度位置決め片５に係合するように置き、カッター１４をラケットの辺縁に押し当て力を入れてラケットを回転板に押しつけながら徐々に回転板をまわせば、滑らかにラバー１２は切断されラケットの辺縁に一致したきれいな端面が得られる。
【００１０】
【発明の効果】
専用の卓球ラケットラバーのカッター台を用いて、回転板を回転させながらラバーを切断することにより、卓球のラケットに貼りつけ固定されたラバーの余分な部分を滑らかに切ることができ、短時間で見ばえよいラケットを完成することができる。
【図面の簡単な説明】
【図１】卓球用ラケットラバーのカッター台斜視図。
【図２】卓球用ラケットラバーのカッター台Ａ−Ａ断面図。
【図３】卓球用ラケットラバーのカッター台使用時の斜視図。
【符号の説明】
１…固定基板                    １ａ…溝
２…滑り防止用マット            ３…回転板
４…マット                      ５…位置決め片
６…ベアリング受け板            ６ａ…穴
６ｂ…ベアリング受け溝          ７…ベアリング受け板
８…回転軸                      ８ａ…ねじ部
９…軸止めナット                １０…ベアリング
１１…ラケット                  １２…ラバー
１３…グリップ                  １４…カッター
【図１】
0003618149.tif 000002
【図２】
0003618149.tif 000003
【図３】
0003618149.tif 000004